(57)【特許請求の範囲】
【請求項１】
電気作動部を有した種々の診療機器を着脱交換可能に取付けできるようにした継手部を備えたマルチジョイントチューブを医療装置本体部から導出させた医療装置において、
上記マルチジョイントチューブの継手部は、その継手部に接続される全ての診療機器のそれぞれの電気作動部を作動させる為の少なくとも１つの電気ラインに対応し、かつ、それぞれの位置が異なるように配設された通電接続端子を備えており、
上記医療装置本体部は、
上記それぞれの通電接続端子に接続され、それぞれの電気ラインに接続された診療機器の種類に合わせて給電する電源供給回路と、
上記電源供給回路から給電可能とされた状態で、いずれかの診療機器が上記マルチジョイントチューブの継手部に接続され、通電接続端子が導通されることで、その電気ラインの通電有無を検知するようにした通電検知手段と、
上記マルチジョイントチューブの継手部に接続された診療機器の種類に合わせた電源供給回路を選択して、給電させるようにした電源制御部とを備えていることを特徴とするマルチジョイントチューブを備えた医療装置。
【請求項２】
請求項１に記載の医療装置において、
上記電源制御部は、上記通電検知手段によって電気ラインの通電有無を判別して、通電を検知した電気ラインに対しては、その電気ラインに接続された電源供給回路に通常パワーで給電させるようにしたことを特徴とするマルチジョイントチューブを備えた医療装置。
【請求項３】
請求項１に記載の医療装置において、
上記電源供給回路は、常時、給電可能な状態になっており、
上記電源制御部は、上記通電検知手段によって電気ラインの通電有無を判別して、通電を検知した電気ラインに対しては、その電気ラインに接続した電源供給回路に通常パワーで給電させるようにしていることを特徴とするマルチジョイントチューブを備えた医療装置。
【請求項４】
請求項１に記載の医療装置において、
上記医療装置本体部は、いずれかの診療機器のマルチジョイントチューブの継手部への接続を検知するセンサ手段を更に設けており、
上記電源制御部は、上記センサ手段がいずれかの診療機器の上記マルチジョイントチューブの継手部への接続を検知したときには、上記電源供給回路からそれぞれの電気ラインに給電可能とし、上記通電検知手段によって電気ラインの通電有無を判別し、通電を検知した電気ラインに対しては、その電気ラインに接続した電源供給回路に通常パワーで給電させるようにしていることを特徴とするマルチジョイントチューブを備えた医療装置。
【請求項５】
請求項１に記載の医療装置において、
上記医療装置本体部は、フートスイッチなどで構成された制御駆動スイッチを備えており、
上記電源制御部は、上記制御駆動スイッチが操作されたことを判別したときには、上記電源供給回路からそれぞれの電気ラインに給電可能とし、上記通電検知手段によって電気ラインの通電有無を判別し、通電を検知した電気ラインに対しては、その電気ラインに接続した電源供給回路に通常パワーで給電させるようにしていることを特徴とするマルチジョイントチューブを備えた医療装置。
【請求項６】
請求項１〜５のいずれかに記載の医療装置において、
上記電源供給回路から、それぞれの電気ラインへは、通電検知のために、一斉にあるいは時分割に給電可能とする構成にしていることを特徴とするマルチジョイントチューブを備えた医療装置。
【請求項７】
請求項１〜５のいずれかに記載の医療装置において、
上記通電検知手段は、それぞれの電気ラインに接続された通電検出素子の通電検知を監視する構成にしていることを特徴とするマルチジョイントチューブを備えた医療装置。
【請求項８】
請求項１〜７のいずれかに記載の医療装置において、
上記通電検知手段による通電検知時には、上記電源供給回路は、その電源供給回路で用いる通常パワーよりも十分に小さいパワーであって、診療機器の電気作動部を作動させない程度のパワーで給電可能とする構成にしていることを特徴とするマルチジョイントチューブを備えた医療装置。
【請求項９】
請求項８に記載の医療装置において、
上記電源供給回路は、通電検出素子に並列に制御接点を設けており、
通電検知時には、制御接点を開いた状態とし、通常パワーでの給電時には、制御接点を閉じた状態とする構成にしていることを特徴とするマルチジョイントチューブを備えた医療装置。
【請求項１０】
請求項２〜９のいずれかに記載の医療装置において、
上記電源制御部は、通電を検知した電気ラインに接続された電源供給回路に通常パワーで給電させる際には、最初は低いパワーとし、次第にパワーを増大させ、上記通電検知手段によって、その給電を開始した電気ラインの通電を更に検知したときだけ、必要な水、あるいは空気の供給を開始させ、その給電を継続する一方、上記通電検知手段によって、その給電を開始した電気ラインの通電を更に検知できなかったときには、その給電を中止する構成にしていることを特徴とするマルチジョイントチューブを備えた医療装置。
【請求項１１】
請求項１〜１０のいずれかに記載の医療装置において、
上記通電検知手段によって通電を検知された電源供給回路に接続されるべき診療機器の種別などを表示する表示手段を更に備えていることを特徴とするマルチジョイントチューブを備えた医療装置。
【発明の詳細な説明】
【０００１】
【発明の属する技術分野】
本発明は、歯科用医療装置によって代表され、電源、水、空気などを、スケーラ、ハンドピース、光重合器、診断器などの診療機器に供給して、診断、治療を行う医療装置であって、これらの診療機器を医療装置本体から導出させたマルチジョイントチューブに着脱交換可能に取付けて使用するマルチジョイントチューブを備えた医療装置、その医療装置に用いるマルチジョイント診療機器とマルチジョイント用アダプタに関する。
【０００２】
【従来の技術】
歯科用医療装置によって代表される、電源、水、空気などを、スケーラ、ハンドピース、光重合器、診断器などの診療機器に供給して、診断、治療を行う医療装置であって、これらの診療機器を医療装置本体から導出させたチューブに着脱可能に取付けて使用する医療装置においては、従来は、使用する診療機器の種類に合わせて、それを取り付けるべきチューブを備えていた。
【０００３】
これは、スケーラ、ハンドピース、光重合器、診断器などの診療機器の種類によって、その診断、治療に必要な電源、水、空気などが異なっているため、チューブは、その必要なものだけを供給するようにしていたためである。
【０００４】
このため、診療機器の種類が増えれば増えるほど、医療装置本体から導出されるチューブの数が増え、その設置場所がより広く必要であったり、チューブ同志の絡まりによって診療の妨げになったり、医療装置本体側の構造も複雑になるといった問題があった。
【０００５】
このような問題を解決するために、従来のチューブに替え、必要な診療機器を、着脱交換可能に取り付けることのできるマルチジョイントチューブを備えた医療装置が提案されている。
【０００６】
例えば、特公平６−９５７７では、図１４に示したマルチジョイントチューブを備えた歯科用医療装置を提案している。
【０００７】
この歯科用医療装置１００は、医療装置本体部１５０と、それから導出されたマルチジョイントチューブ１１０とを備え、このマルチジョイントチューブ１１０の先端には継手部１１１が設けられ、この継手部１１１には、マイクロモータハンドピース、エアータービンハンドピース、スケーラなどの各種の診療機器Ａ１〜Ａ５が着脱交換可能に取り付けることができるようになっている。
【０００８】
医療装置本体部１５０は、制御部１３０、切換回路１４１、識別指令回路１４０を備えており、制御部１３０は、診療機器に合わせた電源を供給する作動電源供給回路１２０、水を供給する水供給回路１２１、冷却用空気を供給するチップエアー供給回路、エアータービンハンドピースなどへ駆動用の空気を供給するドライブエアー供給回路１２３を備えており、これらの回路１２０〜１２３から、マルチジョイントチューブ１１０に装着された診療機器Ａ１〜Ａ５に、必要な電源、水、空気を供給させるようにしている。
【０００９】
作動電源供給回路１２０には電源１５２、水供給回路１２１には給水源１５３、チップエアー供給回路１２２、ドライブエアー供給回路１２３には、加圧空気源１５４が接続されている。
【００１０】
切換回路１４１は、作動電源供給回路１２０と識別指令回路１４０とを、マルチジョイントチューブ１１０を通って継手部１１１に接続されている電気ライン１１２に切換接続するもので、識別指令回路１４０は、電気ライン１１２によって継手部１１１に接続された診療機器Ａ１〜Ａ５の抵抗やインピーダンスの相違によって、どの診療機器が接続されたかを識別するとともに、その識別結果に応じて、接続された診療機器に必要な電源、水、空気の選択指令を、上記種々の供給回路１２０〜１２３に与える。
【００１１】
マルチジョイントチューブ１１０内には、電気ライン１１２以外に、水供給回路１２１からの水ライン１１３、チップエアー供給回路１２２からのチップエアーライン１１４、ドライブエアー供給回路１２３からのドライブエアーライン１１５が通っており、継手部１１１に達している。また、マルチジョイントチューブ１１０の継手部１１１には、診療機器の着脱を検知するセンサ手段１１６が設けられている。
【００１２】
この歯科用医療装置１００は、また、接続された診療機器Ａ１〜Ａ５に電源、水、空気を供給させて、駆動させるための制御駆動スイッチ１５１が備えられ、その信号は、制御部１３０と識別指令回路１４０とに送られるようになっている。
【００１３】
この歯科用医療装置１００では、いずれかの診療機器がマルチジョイントチューブ１１０の継手部１１１に接続されると、その接続をセンサ手段１１６で検知し、切換回路１４１が識別指令回路１４０側に切り換えられ、識別指令回路１４０は、接続された診療機器を識別し、その結果を保存している。
【００１４】
その後、制御駆動スイッチ１５１が、操作されると、切換回路１４１が作動電源供給回路１２０側に切替わり、識別指令回路１４０に保存された診療機器の識別結果に基づき、それぞれの供給回路１２０〜１２３に指令がなされ、必要な電源、水、空気が供給されるようになっている。
【００１５】
このように、この歯科用医療装置１００では、一本のマルチジョイントチューブ１１０に、複数本の診療機器Ａ１〜Ａ５を着脱交換可能に取り付けることができ、また、それに合わせて必要な電源、水、空気も供給されるが、かかる機能を得るために、識別指令回路１４０、切換回路１４１、継手部１１１に設けられたセンサ手段１１６などの余分な回路などを必要としていた。
【００１６】
また、いずれの診療機器であっても、同一の継手部に着脱可能とし、さらに、電源、水、空気などが必要に応じて連通、供給されるように、継手部の接続端子の配置や構造を明確にする必要があるが、かかる記載は一切なされていない。
【００１７】
一方、特公平３−３４３４５号に記載された歯科装置用制御装置では、このような継手部における接続端子の構成については記載されているが、接続された診療機器を識別する方法は、継手部に識別専用の接続端子を設けるもので、その追加の接続端子の分だけ、継手部が大きくならざるを得ず、また、構造も複雑になるものであった。
【００１８】
【発明が解決しようとする課題】
本発明は、このような事情に鑑みてなされたもので、一本のマルチジョイントチューブに、種々の診療機器を着脱交換可能に取付ることができる上に、装着した診療機器に合わせた電源などの供給ができ、構造が簡単で、そのために余分な手段、回路が少なく、マルチジョイントチューブの継手部も小型化でき、コストアップとなることが少ないマルチジョイントチューブを備えた医療装置、マルチジョイント診療機器、マルチジョイント用アダプタを提供することを目的としている。
【課題を解決するための手段】
請求項１から１１においては、マルチジョイントチューブを備えた医療装置、請求項１２ではマルチジョイント診療機器、請求項１３ではマルチジョイント用アダプタを提案している。
【００１９】
請求項１に記載のマルチジョイントチューブを備えた医療装置は、電気作動部を有した種々の診療機器を着脱交換可能に取付けできるようにした継手部を備え、上記マルチジョイントチューブの継手部は、その継手部に接続される全ての診療機器のそれぞれの電気作動部を作動させる為の少なくとも１つの電気ラインに対応し、かつ、それぞれの位置が異なるように配設された通電接続端子を備えており、
上記医療装置本体部は、上記それぞれの通電接続端子に接続され、それぞれの電気ラインに接続された診療機器の種類に合わせて給電する電源供給回路と、上記電源供給回路から給電可能とされた状態で、いずれかの診療機器が上記マルチジョイントチューブの継手部に接続され、通電接続端子が導通されることで、その電気ラインの通電有無を検知するようにした通電検知手段と、上記マルチジョイントチューブの継手部に接続された診療機器の種類に合わせた電源供給回路を選択して、給電させるようにした電源制御部とを備えていることを特徴とする。
【００２０】
ここで、医療装置とは、診療機器を医療装置本体部から導出させたチューブに着脱して用い、その診療機器に電源、水、空気を供給して、診断や治療をする医療装置の全てを含むもので、歯科用医療装置を始めとして、耳鼻咽喉科、産婦人科、泌尿器科、眼科などで用いられる医療装置が含まれるものである。
【００２１】
診療機器とは、診断や治療のために電源、水、空気を用いるものを全て含むもので、電源などの用い方は問わない。例えば、電気駆動装置により切削、研磨などをするもの、清浄水や薬液などを治療のために噴射、放出するもの、電気の作用によって治療などをするもの、診断用に、所定の電気接点の組み合わせで電圧、電流などを測定するような診断器なども含み、歯科分野においては、このような診療機器としては、種々のハンドピース、エアータービンハンドピース、マイクロモータハンドピースや、スケーラ、光重合器、根管長測定器、口腔カメラなどが含まれる。
【００２２】
また、電源供給回路は、それぞれの通電接続端子に対応させて個別、独立に設けても良いし、また、共通の電源供給回路に電圧、電流、周波数などを調整できる手段を備えて、診療機器の種類に合わせた電源を供給できるようにしてもよい。また、電気ラインのうち、少なくとも１本は、共通ラインとして共用するようにしている。
【００２３】
この医療装置において、マルチジョイントチューブの継手部には、診断治療に必要な診療機器の電気作動部への電気ラインを考慮して、全てに対応できるように必要な通電接続端子が設けられており、この通電接続端子の位置は、全て異なるように構成されている。しかも、この通電接続端子に接続され、それぞれの電気ラインに接続された診療機器の種類に合わせて給電する電源供給回路が設けられている。
【００２４】
つまり、ある通電接続端子に接続される診療機器の種類が予め決められており、その設置位置も固有であり、その通電接続端子に対応する電気ラインには、専用の電源供給回路が設けられているので、接続すべき診療機器側の接続端子もその位置に合うようになっておれば、これらの端子間のみが導通され、その通電接続端子に対応した電源供給回路を駆動させれば、その診療機器に必要な給電をすることができる。
【００２５】
このようにすると、確実に接続した診療機器に必要な電源が供給されると共に、他の通電接続端子は導通されないので、万が一、他の電源供給回路が誤作動しても、電源が通電されることがなく安全である。
【００２６】
この医療装置においては、さらに、通電検知手段を設け、それによって通電検知をした電源供給ラインに通常パワーの電源を供給させるようにしている。つまり、ある通電接続端子の通電を検知し、その通電接続端子に接続された電源供給回路に通電させれば、間違いなく、接続された診療機器に相応しい電源が供給されるという特徴を、通電検知手段を設けることによって、更に、有効利用している。
【００２７】
請求項２に記載のマルチジョイントチューブを備えた医療装置は、請求項１に記載の医療装置において、上記電源制御部は、上記通電検知手段によって電気ラインの通電有無を判別して、通電を検知した電気ラインに対しては、その電気ラインに接続された電源供給回路に通常パワーで給電させるようにしたことを特徴とする。
【００２８】
この医療装置は、請求項１の医療装置において、上記通電検知手段によって通電検知をした電源供給ラインに通常パワーの電源を供給させるようにしている。
【００３０】
このようにして、１本のマルチジョイントチューブに、いずれの診療機器も着脱交換可能に取り付けることができるだけでなく、さらに、所望の診療機器を接続するだけで、その診療機器に相応しい電源が間違いなく供給される。
【００３１】
また、このような効果を実現するために、余分に必要なものは、通電検知手段だけであり、コストアップとなることが少ない。さらに、本来必要な接続端子の位置を工夫することで、別に、診療機器の種類判別のための接続端子を設ける必要もなく、継手部の大きさも小型化することができる。
【００３２】
これより、請求項３から請求項１０においては、通電検知の種々の態様について提案している。
【００３３】
請求項３に記載のマルチジョイントチューブを備えた医療装置は、請求項１に記載の医療装置において、上記電源供給回路は、常時、給電可能な状態になっており、上記電源制御部は、上記通電検知手段によって電気ラインの通電有無を判別して、通電を検知した電気ラインに対しては、その電気ラインに接続した電源供給回路に通常パワーで給電させるようにしていることを特徴とする。
【００３４】
この医療装置では、通電検知手段による通電検知を原則として常時行うようにしたことを特徴としている。つまり、すべての電源供給回路を通電可能としても、間違った給電をすることがなく、また、従来例に示したような、作動電源供給回路と識別指令回路との切換なども考慮する必要もないので、このような通電検知方法が可能となるのである。
【００３５】
したがって、安全に、診療機器の判別をすることができ、かつ、切換手段や、センサー手段など必要なく、余分なコストアップを生じることがない。
【００３６】
請求項４に記載のマルチジョイントチューブを備えた医療装置は、請求項１に記載の医療装置において、上記医療装置本体部は、いずれかの診療機器のマルチジョイントチューブの継手部への接続を検知するセンサ手段を更に設けており、上記電源制御部は、上記センサ手段がいずれかの診療機器の上記マルチジョイントチューブの継手部への接続を検知したときには、上記電源供給回路からそれぞれの電気ラインに給電可能とし、上記通電検知手段によって電気ラインの通電有無を判別し、通電を検知した電気ラインに対しては、その電気ラインに接続した電源供給回路に通常パワーで給電させるようにしていることを特徴とする。
【００３７】
この医療装置は、診療機器をマルチジョイントチューブの継手部に接続したことを検知するセンサ手段を設け、このセンサ手段で診療機器の接続を検知した時だけ、通電検知をすることを特徴とする。
【００３８】
上述したように、この発明においては、殊更に、センサ手段を設ける必要はない。しかしながら、センサ手段を設けることも不可能ではなく、このようにすることによって、選択可能な通電検知の態様が増える。
【００３９】
請求項５に記載のマルチジョイントチューブを備えた医療装置は、請求項１に記載の医療装置において、上記医療装置本体部は、フートスイッチなどで構成された制御駆動スイッチを備えており、上記電源制御部は、上記制御駆動スイッチが操作されたことを判別したときには、上記電源供給回路からそれぞれの電気ラインに給電可能とし、上記通電検知手段によって電気ラインの通電有無を判別し、通電を検知した電気ラインに対しては、その電気ラインに接続した電源供給回路に通常パワーで給電させるようにしていることを特徴とする。
【００４０】
この医療装置は、通電検知のタイミングとして、制御駆動スイッチが操作されたときを選択したものである。この制御駆動スイッチは、通常、歯科用の医療装置では、術者が、診療機器を駆動させるために操作するように設けられているもので、この操作をするときには、マルチジョイントチューブの継手部には、診療機器が接続されていることが前提となる。
【００４１】
したがって、無駄な通電検知をすることが無いと同時に、選択可能な通電検知の態様が増える。
【００４２】
請求項６に記載のマルチジョイントチューブを備えた医療装置は、請求項１〜５のいずれかに記載の医療装置において、上記電源供給回路から、それぞれの電気ラインへは、通電検知のために、一斉にあるいは時分割に給電可能とする構成にしていることを特徴とする。
【００４３】
この医療装置では、通電検知の時期ではなく、一回の通電検知において、各電源供給回路の電源を通電可能とする態様を規定している。つまり、その態様を、一斉につまり同時に給電可能にする場合と、時分割に、つまり、時間的にずらせて給電可能にする場合とを規定している。また、通常通電時に影響を与えない。
【００４４】
このようにして、さらに選択可能な通電検知の態様が増える。
【００４５】
請求項７に記載のマルチジョイントチューブを備えた医療装置は、請求項１〜５のいずれかに記載の医療装置において、上記通電検知手段は、それぞれの電気ラインに接続された通電検出素子の通電検知を監視する構成にしていることを特徴とする。
【００４６】
この医療装置では、通電検知手段の具体的構成を規定している。つまり、通電検知手段は、電気ラインに、その電気ラインの電気的特性に影響を与えないような通電検出素子、例えば、非常に微小な抵抗素子、具体的には、１オーム程度の抵抗を直列に入れ、通電検知手段は、その通電検出素子間の電圧、または、電流を検知することで、その電気ラインの通電を検知するようにしている。
【００４７】
こうして非常に簡単な構成によって、確実に通電を検知することができ、それによって、接続した診療機器の種類の判別、また、それに対応する電源供給回路を特定することができる。
【００４８】
請求項８に記載のマルチジョイントチューブを備えた医療装置は、請求項１〜７のいずれかに記載の医療装置において、上記通電検知手段による通電検知時には、上記電源供給回路は、その電源供給回路で用いる通常パワーよりも十分に小さいパワーであって、診療機器の電気作動部を作動させない程度のパワーで給電可能とする構成にしていることを特徴とする。
【００４９】
この医療装置は、通電検知時に電源供給回路が給電するパワーを規定している。
【００５０】
まず、その電源を電源供給回路で通常、診療機器に供給するパワーよりも十分に小さいパワーにすることを規定している。この十分に小さいパワーとは、診療機器の電気作動部を作動させない程度のパワーという意味である。したがって、このような十分に小さいパワーの電源を供給することで、通電検知時に、その電源によって、診療機器の電気作動部が作動するようなことがなく、例えば、マイクロモータハンドピースのモータが回転するようなことがなく、安全である。
【００５１】
さらに、この十分に小さいパワーの電源は、通常パワーの電源と同じ種類、つまり、周波数などが同一の電源という意味も持っている。したがって、例えば、診療機器が特殊な態様の電源を使用するスケーラなどの場合であっても、確実に通電検知をすることができる。
【００５２】
なお、ここでは、通電検知時の電源を、通常パワーの電源と同じものにすると規定したが、上記のような問題が生じない場合には、通電検知のみの別の電源を備えて、その電源を用いるようにしてもよい。
【００５３】
請求項９に記載のマルチジョイントチューブを備えた医療装置は、請求項８に記載の医療装置において、上記電源供給回路は、通電検出素子に並列に制御接点を設けており、通電検知時には、制御接点を開いた状態とし、通常パワーでの給電時には、制御接点を閉じた状態とする構成にしていることを特徴とする。
【００５４】
この医療装置では、請求項７に記載の医療装置と同様に、通電検知手段の具体的内容を規定しているが、ここでは、請求項７と相違して、電気ラインに直列に入れられる通電検出素子は、その電気ラインの電気的特性に影響を与えるような通電検出素子、例えば、大きな抵抗素子、具体的には、１メガオーム程度の抵抗としている。
【００５５】
そして、この通電検出素子と並列に制御接点を設け、通電検知時は、この通電検出素子に通電されるようにして、通電検知手段は、この通電検出素子間の電圧、または、電流を検知することで、その電気ラインの通電を検知するようにし、通常パワーでの給電時、つまり、通電検知後に通常に電源を供給するときは、制御接点側が通電されるようにして、この通電検出素子の影響を回避することができるようにしている。
【００５６】
こうして、小さい抵抗値の通電検出素子を用いる場合に比べて、通電の検知がより確実になると共に、通常の電源通電時には、その通電検出素子の影響を避けることができる。
【００５７】
請求項１０に記載のマルチジョイントチューブを備えた医療装置は、請求項２〜９のいずれかに記載の医療装置において、上記電源制御部は、通電を検知した電気ラインに接続された電源供給回路に通常パワーで給電させる際には、最初は低いパワーとし、次第にパワーを増大させ、上記通電検知手段によって、その給電を開始した電気ラインの通電を更に検知したときだけ、必要な水、あるいは空気の供給を開始させ、その給電を継続する一方、上記通電検知手段によって、その給電を開始した電気ラインの通電を更に検知できなかったときには、その給電を中止する構成にしていることを特徴とする。
【００５８】
この医療装置は、通電検知後、通常の電源を供給する際に、直に、通常パワーの電源とせず、次第に電源のパワーを増大させ、より確実に通電検知ができるようになった状態で、再度、通電検知をして、その結果、更に通電検知をしたとき、つまり、最初の通電検知が間違っていなかった場合にだけ、水、空気を必要に応じて供給し、その給電を継続させて通常パワーとし、再度の通電検知が出来なかった場合は、最初の通電検知が間違っていたとして、その給電を中止するようにしている。
【００５９】
このようにすると、通電検知が間違っており、水、空気が必要でない診療機器が接続されたのに、水、空気などを供給するようなことを確実に避けることができ、安全性が向上する。
【００６０】
請求項１１に記載のマルチジョイントチューブを備えた医療装置は、請求項１〜１０のいずれかに記載の医療装置において、上記通電検知手段によって通電を検知された電源供給回路に接続されるべき診療機器の種別などを表示する表示手段を更に備えていることを特徴とする。
【００６１】
この診療機器は、通電検知の結果を表示する表示手段を備えていることを特徴としている。したがって、その表示を見て、通電検知が正しかったか否か、または、装着した診療機器が正しかったか否かをチェックすることができる。請求項１２に記載のマルチジョイント診療機器は、請求項１から１１のいずれかに記載のマルチジョイントチューブに接続して用いられ少なくとも電気作動部を備えたものであって、そのマルチジョイント診療機器の継手部は少なくとも電気作動部用の接続端子を含み、当該接続端子が、上記マルチジョイントチューブの継手部の通電接続端子に対応して設けられ、かつこの通電接続端子の接続による通電が上記通電検知手段で検知可能とされている。
【００６２】
請求項１３に記載のマルチジョイントアダプタは、スケーラ、ハンドピース、光重合器、診断器などの診療機器を、請求項１〜１２のいずれかに記載のマルチジョイントチューブに接続するために用いられるもので、少なくとも電気作動部を備えた診療機器の接続すべき接続端子に対応させた少なくとも電気作動部用の接続端子を含む機器接続端子を設けた機器継手部と、上記マルチジョイントチューブの継手部の通電接続端子のうち、その接続すべき診療機器の少なくとも電気作動部への電気ラインに対応した通電接続端子に対応させたチューブ接続端子を設けたチューブ継手部とを備え、対応した機器接続端子とチューブ接続端子とを導通させた構成としている。
【００６３】
つまり、上述したように、本発明のマルチジョイントチューブでは、いずれの診療機器でも着脱交換可能にするためには、電気ライン、水ライン、空気ラインの接続端子は、それぞれ種類ごとに、所定の決まった位置になければならない。さらに、診療機器を接続したときに、その接続によって導通する電気ラインによって、その診療機器を特定できるようにするためには、少なくとも、１箇所の接続端子は、その診療機器に対して、特定の位置、他と異なった位置にあって、そこに、その専用の電気ラインが連結されていることが必要である。
【００６４】
したがって、マルチジョイントチューブでは、接続端子の位置配置が重要であり、その配置は、全ての接続すべき診療機器の電気作動部を考慮して、合目的的に決められなければならない。
【００６５】
その結果、このマルチジョイントチューブに着脱交換可能に用いる診療機器の接続端子の位置も、このマルチジョイントチューブの接続端子の位置に対応させて設置されたものでなければならない。
【００６６】
このマルチジョイント診療機器は、そのような接続端子を設けた継手部を備えたものである。
【００６７】
請求項１３に記載のマルチジョイントアダプタは、スケーラ、ハンドピース、光重合器、診断器などの診療機器を、請求項１〜１２のいずれかに記載のマルチジョイントチューブに接続するために用いられるもので、接続すべき診療機器の接続端子に対応させた機器接続端子を設けた機器継手部と、上記マルチジョイントチューブの継手部の通電接続端子のうち、その接続すべき診療機器の電気作動部への電気ラインに対応した通電接続端子に対応させたチューブ接続端子を設けたチューブ継手部とを備え、対応した機器接続端子とチューブ接続端子とを導通させた構成としている。
【００６８】
このマルチジョイントアダプタは、従来の診療機器を、マルチジョイントチューブに接続するためのアダプタである。これにより、マルチジョイントチューブを用いる場合でも、従来からある診療機器を無駄にすることがない。
【００６９】
【発明の実施の形態】
以下に、本発明の実施の形態について図とともに説明する。
【００７０】
図１は、マルチジョイントチューブを備えた医療装置の参考例を概念的に説明するブロック図である。
【００７１】
このマルチジョイントチューブを備えた医療装置１０は、マルチジョイントチューブ１を導出させた医療装置本体部５を備え、このマルチジョイントチューブ１の先端の継手部１２に、必要なマルチジョイント診療機器６ａ〜６ｄを着脱交換可能に取り付け、診断、治療を行うことができる。
【００７２】
この医療装置は、一例として、歯科用医療装置の場合を示しており、その場合には、これらのマルチジョイント診療機器は、図示したように例えば、スケーラ６ａ、マイクロモーターハンドピース６ｂ、光重合器６ｃ、根管長測定器６ｄとなっている。
【００７３】
マルチジョイントチューブ１は、例えば、可撓性チューブで構成され、診療機器を接続して診断、治療する際に、操作性を向上させている。そのチューブ１の一端には上述の継手部１２、他端には、医療装置本体部５の本体基端部５３と接続するための基端継手部１５が設けられている。
【００７４】
医療装置本体部５には、接続される診療機器６ａ〜６ｄに合わせて必要な電源を供給する電源供給回路のスケーラ駆動回路２ａ、モータ駆動回路２ｂ、光重合駆動回路２ｃ、根管長測定器６ｄ用の診断器回路２ｄ、駆動用あるいは冷却用の空気を供給するエアー回路２ｅ、洗浄用あるいは冷却用の水を供給する水回路２ｆが備えられ、これらの回路を電源制御部３が制御している。
【００７５】
電源制御部３には、電源３１、加圧空気源３２、給水源３３が接続され、電源制御部３自体の制御や駆動に用いられると共に、それぞれの回路２ａ〜２ｆに必要な電源、空気、水を供給している。また、電源制御部３には、術者がマルチジョイントチューブ１に取り付け接続された診療機器の種類を手動入力するための種別入力手段３４と、フットスイッチなどで構成され、接続された診療機器に必要な電源、空気、水などを供給させて診断、治療を行うための制御駆動スイッチ５１が接続されている。
【００７６】
上述したスケーラ駆動回路２ａ、モータ駆動回路２ｂ、光重合駆動回路２ｃ、診断器回路２ｄからは、それぞれ、専用の電気ライン１３が導出され、エアー回路２ｅからはエアーライン１６、水回路２ｆからは水ライン１７が導出されており、本体基端部５３でまとめられて、更に、図示していないが、マルチジョイントチューブ１内を通って、接続された診療機器に必要な電源、加圧空気、水を供給するようになっている。
【００７７】
図２は、本発明のマルチジョイントチューブとマルチジョイント診療機器の一例を概念的に説明する斜視図である。これより、既に説明した部分については、同一の符号を付して、重複説明を省略する。
【００７８】
図１のマルチジョイントチューブを備えた治療装置１０では、マルチジョイントチューブ１の継手部１２の構造を特徴とし、この継手部１２に着脱交換可能に取り付けるマルチジョイント診療機器６ａ〜６ｄも、それに対応したものとなっている。
【００７９】
マルチジョイントチューブ１の継手部１２においては、そのマルチジョイントチューブ１に着脱可能に取り付けられる診療機器を考慮して、いずれの診療機器に対しても、必要な電源、空気、水が供給されるように、電気ライン、水ライン、エアーラインの接続端子は、それぞれ種類ごとに、所定の決まった位置になければならない。さらに、診療機器を接続したときに、その接続によって導通する電気ラインによって、その診療機器を特定できるようにするためには、少なくとも、１箇所の接続端子は、その診療機器に対して、特定の位置、他と異なった位置にあって、そこに、その専用の電気ラインが連結されていることが必要である。
【００８０】
したがって、マルチジョイントチューブでは、接続端子の位置配置が重要であり、その配置は、全ての接続すべき診療機器の電気作動部を考慮して、合目的的に決められなければならない。
【００８１】
この継手部１２に設けられた通電接続端子１１ａ〜１１ｅは、そのような点を考慮して設けられた電源用の接続端子であり、それぞれ専用の電気ライン１３で、通電接続端子１１ａは、スケーラ駆動回路２ａに、通電接続端子１１ｂ、１１ｃ、１１ｄはそれぞれ、モータ駆動回路２ｂ、光重合駆動回路２ｃ、診断器回路２ｄに接続されている。通電接続端子１１ｅは、共通の電気ライン１３であるアース線に接続されている。また、接続端子１１ｆ，１１ｇは、それぞれ、エアーライン１６、水ライン１７に接続されている。
【００８２】
この継手部１２に着脱交換可能に取り付けられる診療機器６ａ〜６ｄの接続端子６１ａ〜６１ｇの位置も、このマルチジョイントチューブ１の通電接続端子１１ａ〜１１ｇの位置に対応させて設置されている。
【００８３】
マルチジョイント診療機器として構成されたスケーラ６ａの継手部６２ａには、その診療の必要に応じて、電気作動部（不図示）に接続された接続端子６１ａ、共通線の接続端子６１ｅ、水ラインの接続端子６１ｇを備えているので、このスケーラ６ａをマルチジョイントチューブ１の継手部１２に接続すると、スケーラ６ａ側の電気、水の接続端子６１ａ、６１ｅ、６１ｇと、マルチジョイントチューブ１側の電気の通電接続端子１１ａ，１１ｅ，水の接続端子１１ｇとが連通され、スケーラ６ａに必要な電源、水が供給され得るようになる。
【００８４】
ここで、図１の種別入力手段３４によって、スケーラを接続したことを入力しておけば、制御駆動スイッチ５１の操作によって、スケーラ駆動回路２ａから電源が通電され、接続したスケーラ６ａに適した電源が供給されることになる。
【００８５】
マルチジョイント診療機器として構成されたマイクロモータハンドピース６ｂの継手部６２ｂには、その診療の必要に応じて、電気作動部（不図示）に接続された接続端子６１ｂ、共通線の接続端子６１ｅ、水ラインの接続端子６１ｇ、エアーラインの接続端子６１ｆを備えているので、マイクロモータハンドピース６ｂをマルチジョイントチューブ１の継手部１２に接続すると、スケーラ６ａの場合と同様に、対応する端子が連通し、マイクロモータハンドピース６ｂに必要な電源、空気、水が供給され得るようになる。
【００８６】
また、ここで、スケーラ６ａの場合と同様に、図１の種別入力手段３４によって、マイクロモータハンドピースを接続したことを入力しておけば、制御駆動スイッチ５１の操作によって、モータ駆動回路２ａから電源が通電され、接続したマイクロモータハンドピース６ｂに適した電源が供給されることになる。
【００８７】
同様に、光重合器６ｃの継手部６２ｃには、その診療の必要に応じて、電気作動部（不図示）に接続された接続端子６１ｃ、共通線の接続端子６１ｅ、エアーラインの接続端子６１ｆを備えており、根管長測定器６ｄの継手部６２ｄには、その診療の必要に応じて、電気作動部（不図示）に接続された接続端子６１ｄ、共通線の接続端子６１ｅ備えているので、上述のスケーラ６ａ、マイクロモータハンドピース６ｂの場合と同様に、これらを接続するだけで、光重合器６ｃ、根管長測定器６ｄに必要な電源、空気などが供給され得るようになる。
【００８８】
このように、図１、図２で説明したマルチジョイントチューブを備えた医療装置、マルチジョイント診療機器によると、所望のマルチジョイント診療機器をマルチジョイントチューブに接続するだけで、必要な端子間のみが導通され、導通された通電接続端子に対応した電源供給回路を駆動させれば、その診療機器に必要な給電をすることができる。
【００８９】
このようにすると、確実に接続した診療機器に必要な電源が供給されると共に、他の通電接続端子は導通されないので、万が一、他の電源供給回路が誤作動しても、電源が通電されることがなく安全である。
【００９０】
また、ここでは、接続した診療機器を判別する方法として種別入力手段３４を例として示したが、これだけに限らない。例えば、後述するように総当たり的に、給電可能として、導通した電源供給回路のみに給電させるようにしてもよい。
【００９１】
図３は、本発明のマルチジョイントアダプタの一例を概念的に説明する斜視図である。
【００９２】
このマルチジョイントアダプタ７ａ〜７ｄは、既存のマルチジョイントでない診療機器を、本発明のマルチジョイントチューブに着脱可能に取り付けて使用することができるようにするためのものである。
【００９３】
この例では、既存の診療機器であるスケーラＢ１の継手部Ｃ１には、電源用、水用、共通線用の接続端子Ｄ１，Ｄ２，Ｄ３が設けられているが、その設置位置は、マルチジョイントを考慮したものでなく、これをそのまま、マルチジョイントチューブ１に接続しても、対応した接続端子同士が導通されることはない。
【００９４】
同様に、マイクロモータハンドピースＢ２の継手部Ｃ２には、空気用、電源用、水用、共通線用の接続端子Ｄ４，Ｄ５，Ｄ６，Ｄ７が、光重合器Ｂ３の継手部Ｃ３には、空気用、共通線用、電源用の接続端子Ｄ８，Ｄ９，Ｄ１０が、根管長測定器Ｂ４の継手部Ｃ４には、電源用と共通線用の接続端子Ｄ１１，Ｄ１２が設けられているが、いずれも、そのままでは、マルチジョイントチューブ１に接続して使用することができない。
【００９５】
マルチジョイントアダプタ７ａ〜７ｄは、このような既存の診療機器Ｂ１〜Ｂ４毎に用意されるもので、スケーラ用アダプタ７ａには、診療機器を接続する側の機器継手部７１ａに、スケーラＢ１の継手部Ｃ１の電源用、水用、共通線用の接続端子Ｄ１，Ｄ２，Ｄ３の位置に対応させて、電源用、水用、共通線用の機器接続端子７２ａ，７２ｂ，７２ｃが設けられ、一方、マルチジョイントチューブを接続する側のチューブ継手部７３ａには、マルチジョイントチューブ１の継手部１２のスケーラ用の通電接続端子１１ａ、水用の接続端子１１ｇ，共通線の通電接続端子１１ｅの位置に対応させて、電源用、水用、共通線用のチューブ接続端子７４ａ、７４ｇ、７４ｅが設けられている。
【００９６】
そして、このスケーラ用アダプタ７ａの機器継手部７１ａの接続端子７２ａ，７２ｂ，７２ｃと、チューブ継手部７３ａの接続端子７４ａ、７４ｇ、７４ｅは、図示したように、それぞれ導通されている。
【００９７】
したがって、既存のスケーラＢ１をスケーラ用アダプタ７ａの機器継手部７１ａに接続し、この状態で、スケーラ用アダプタ７ａのチューブ継手部７３ａをマルチジョイントチューブ１の継手部１２に接続すれば、スケーラＢ１の電源用、水用、共通線用の接続端子Ｄ１，Ｄ２，Ｄ３が、結果的に、マルチジョイントチューブ１のスケーラ用の通電接続端子１１ａ、水用の接続端子１１ｇ，共通線の通電接続端子１１ｅと連通し、スケーラＢ１に必要な電源、水が供給され得るようになる。
【００９８】
モータ用アダプタ７ｂの機器継手部７１ｂには、同様に、既存のマイクロモータハンドピースＢ２の接続端子Ｄ４，Ｄ５，Ｄ６、Ｄ７に対応させて、機器接続端子７２ｄ，７２ｅ，７２ｆ，７２ｇが設けられ、チューブ継手部７３ｂには、マルチジョイントチューブ１の接続端子１１ｆ、１１ｂ，１１ｇ、１１ｅに対応させてチューブ接続端子７４ｆ，７４ｂ，７４ｇ，７４ｅが設けられ、機器継手部７１ｂ側の接続端子Ｄ４，Ｄ５，Ｄ６、Ｄ７とそれに対応したチューブ継手部７３ｂ側の接続端子７４ｆ，７４ｂ，７４ｇ，７４ｅとが、図示したように導通されている。
【００９９】
したがって、既存のマイクロモータハンドピースＢ２をモータ用アダプタ７ｂの機器継手部７１ｂに接続し、この状態で、チューブ継手部７３ｂをマルチジョイントチューブ１の継手部１２に接続すれば、マイクロモータハンドピースＢ２の空気用、電源用、水用、共通線用の接続端子Ｄ４，Ｄ５，Ｄ６、Ｄ７が、マルチジョイントチューブ１の空気用、モータ電源用、水用、共通線用の接続端子１１ｆ、１１ｂ，１１ｇ、１１ｅに連通されて、マイクロモータハンドピースＢ２に必要な空気、電源、水が供給され得るようになる。
【０１００】
同様な方法で対応関係と導通を考慮して、光重合器用アダプタ７ｃの機器継手部７１ｃには機器接続端子７２ｈ，７２ｉ，７２ｊ，チューブ継手部７３ｃにはチューブ接続端子７４ｆ，７４ｅ，７４ｃが設けられ、根管長測定器用アダプタ７ｄの機器継手部７１ｄには機器接続端子７２ｋ，７２ｌ、チューブ継手部７３ｄにはチューブ接続端子７４ｄ，７４ｅが設けられている。
【０１０１】
したがって、既存の光重合器Ｂ３，根管長測定器Ｂ４に、これらの光重合器用アダプタ７ｃ、根管長測定器用アダプタ７ｄをそれぞれ接続すれば、マルチジョイントチューブ１に接続して必要な電源、水などが供給され得るようになる。
【０１０２】
このようにして、マルチジョイントアダプタ７ａ〜７ｄを用いることによって、既存の診療機器Ｂ１〜Ｂ４を、マルチジョイントチューブ１に着脱交換可能に取付ることができ、マルチジョイント診療機器と同様な用い方をすることができる。したがって、医療装置を本願発明のマルチジョイントチューブを備えた医療装置に変更した場合でも、マルチジョイントアダプタを用意するだけで、既存の診療機器を無駄にすることなく継続して使用することができる。
【０１０３】
これより、上述のマルチジョイントチューブを備えた医療装置を基礎として、更に、接続した診療機器の判別も医療装置で自動的に行えるようにしたマルチジョイントチューブを備えた医療装置について説明する。
図４は、そのような、本発明のマルチジョイントチューブを備えた医療装置の一例を概念的に説明するブロック図である。
【０１０４】
このマルチジョイントチューブ備えた医療装置１０Ａは、図１の医療装置１０に比べ、マルチジョイントチューブ１に診療機器６ａ〜６ｄのいずれかが接続されたときに、その接続によって、導通される電気ライン１３の通電を検知する通電検知手段４を備えていることを特徴とする。
【０１０５】
それぞれの電気ライン１３には、直列に小容量、例えば、１オーム程度の抵抗素子で構成された通電検出素子４１を直列に入れ、通電検出手段４は、このそれぞれの通電検出素子４１に生じる電圧、または、電流をそれぞれ検知できるようになっている。
【０１０６】
通電検出手段４は、電源制御部３に接続され、通電検知の結果を知らせる通電検知信号を電源制御部３に送る。
【０１０７】
この医療装置１０Ａは、このような構成となっているので、電気ライン１３の通電を、通電検出素子４で検知するだけで、診療機器６ａ〜６ｄのいずれが、マルチジョイントチューブ１に接続されたかを検知することができ、その検知結果に基づき、判別された電源供給回路から給電し、また、必要な水、空気を診療機器に合わせて供給することができる。つまり、診療機器をマルチジョイントチューブに接続するだけで、自動的に、その診療機器を判別し、必要な電源などを供給することができる。
【０１０８】
また、通電検出素子４１は、小容量なので、通常の電源通電時に、障害とならない。
【０１０９】
図５は、本発明のマルチジョイントチューブを備えた医療装置における診療機器の検知駆動の基本動作の一例を示すタイムチャートである。この図５を用いて、通電検知の態様について説明する。
【０１１０】
図５は、横軸を時間とし、縦軸を電圧として、通電検知、選択された診療機器の駆動の動作を、図４で示したスケーラ６ａ、マイクロモータハンドピース６ｂ、光重合器６ｃ、根管長測定器６ｄに対応させてタイムチャートで示したものである。但し、マイクロモータハンドピース６ｂについては、そのモータがＤＣ（直流）モータの場合と、ＡＣ（交流）モータの場合に分けて示している。
【０１１１】
また、この図５は、診療機器として、ＤＣモータのマイクロモータハンドピース６ｂが接続される場合で、通電検知のために常時一斉に給電可能とするタイプの例を示し、図中に矢印で、診療機器接続の時点と、制御駆動スイッチ５１をＯＮとする時点を示している。
【０１１２】
図５で示すように、この常時一斉に給電可能とするタイプでは、常時、全ての電源供給回路２ａ〜２ｄが給電可能な状態となっている。この時の電源のパワーは、通常の駆動のパワーより十分小さいパワーとしておくと、接続した診療機器の電気作動部がその電源によって、間違って作動するようなことがなく、安全である。
【０１１３】
さらに、この十分に小さいパワーの電源は、通常パワーの電源と同じ種類、つまり、周波数などが同一の電源でもある。したがって、例えば、診療機器が特殊な態様の電源を使用するスケーラなどの場合であっても、確実に通電検知をすることができる。
【０１１４】
この給電可能な状態で、マイクロＤＣモータハンドピース６ｂを接続すると、その電気ラインだけが、通電状態となり、この通電を通電検知手段４で検知して、接続された診療機器がハンドピース６ｂであることを判別し、モータ駆動回路２ｂが選択される。
【０１１５】
これで、制御駆動スイッチ５１がＯＮされると、モータ駆動回路２ｂから通常パワーの電源が通電され、マイクロＤＣモータハンドピース６ｂが駆動される。
【０１１６】
図６は、本発明のマルチジョイントチューブを備えた医療装置の他例を概念的に説明するブロック図である。
【０１１７】
このマルチジョイントチューブを備えた医療装置１０Ｂは、図４の医療装置１０Ａに比べ、さらに、マルチジョイントチューブ１の継手部１２に診療機器６ａ〜６ｄが接続されたどうかを検知するセンサ手段１４を継手部１２に備えた点が相違する。
【０１１８】
本発明のマルチジョイントチューブを備えた医療装置では、常時通電可能な状態で通電検知をすることができるので、このようなセンサ手段１４は、通電検知のために、不可欠に設けなくてはならないものではない。
【０１１９】
しかしながら、このセンサ手段１４を、診療機器の接続を検知した時だけ、通電検知するように、通電検知のタイミングを決めるための手段として利用することによって、通電検知のために必要な電力の節約も図ることができ、また、選択可能な通電検知の態様が増える。
【０１２０】
図７は、本発明のマルチジョイントチューブを備えた医療装置における診療機器の検知駆動の基本動作の他例を示すタイムチャートである。
【０１２１】
このタイムチャートは、センサ手段１４を備えた医療装置１０Ｂで用いられるもので、また、時分割でそれぞれの電源供給回路を通電可能とするタイプの基本動作を示している。
【０１２２】
この図７で解るように、これは、ＡＣモータのマイクロモータハンドピース６ｂが接続された場合を示しており、診療機器の接続がセンサ手段１４で検知されると、それぞれの電源供給回路に時分割で電源が供給され、マイクロＡＣモータハンドピース６ｂのための電気ライン１３の通電が通電検知手段４で検知され、診療機器の種別が判別され、その後、制御駆動スイッチ５１がＯＮされると、マイクロＡＣモータ用のモータ駆動回路２ｂから通常パワーで給電され、マイクロＡＣモータハンドピース６ｂが駆動される。
【０１２３】
図８は、本発明のマルチジョイントチューブを備えた医療装置における診療機器の検知駆動の基本動作の他例を示すタイムチャートである。
【０１２４】
このタイムチャートは、制御駆動スイッチ５１を備えたものであれば、実施可能なものであって、制御駆動スイッチ５１がＯＮとなったタイミングで、一斉に通電可能とするタイプの基本動作を示している。
【０１２５】
この図８では、このように一斉通電を行って、スケーラ６ａが接続されたことを検知して、スケーラ駆動回路２ａから通常パワーで給電している。
【０１２６】
このように、本発明のマルチジョイントチューブを備えた医療装置では、給電検知の方法は、単一のタイプに限定されることなく、いろいろなタイミングでの給電、また、一斉給電あるいは時分割給電などのいろいろなタイプを選択することができる。
【０１２７】
図９は、本発明のマルチジョイントチューブを備えた医療装置の他例を概念的に説明するブロック図である。
【０１２８】
このマルチジョイントチューブを備えた医療装置１０Ｃは、図４の医療装置１０Ａに比べ、通電検知手段４の具体的な構成が相違する。
【０１２９】
医療装置１０Ａでは、通電検出素子４１は、小容量の抵抗素子であったが、ここで用いる通電検出素子４２は大容量のもの、例えば、１メガオーム程度の抵抗素子で構成されている。このように抵抗が大きいので、通電検知手段４で、より、確実に通電検知することができる。
【０１３０】
しかしながら、このような大きい抵抗の通電検出素子４２を直列に電気ライン１３に入れたままで、通常の給電を行うと、給電に支障となる。そこで、この医療装置１０Ｃでは、通電検出素子４２と並列に制御接点４３を入れ、通電検知時以外は、この制御接点を閉じる構成としている。
【０１３１】
こうして、より確実に通電検知をすることができ、かつ、通常の給電に支障がないようにしている。
【０１３２】
図１０は、本発明のマルチジョイントチューブを備えた医療装置における診療機器の検知駆動の基本動作の他例を示すフローチャートである。
【０１３３】
この基本動作は、通電再確認をすることを特徴とする。
【０１３４】
これまでに述べた方法のいずれかを用いて通電検知をし、さらに電源供給回路を選択（Ｓ１）した後、制御駆動スイッチ５１を作動させる（Ｓ２）と、電源制御部３は、徐々に電源のパワーを増大させ、そのパワーが、より確実に通電検知ができるような所定値より大きくなった状態で、通電の再検知をして（Ｓ４，Ｓ５）、その結果、更に通電検知をしたとき、つまり、初期の選択が間違っていなかった場合にだけ、水、空気を必要に応じて供給し、その給電を継続させて通常パワーとし（Ｓ６，Ｓ７）、再度の通電検知が出来なかった場合は、最初の通電検知が間違っていたとして、その給電をパワーダウンし、中止するようにしている（Ｓ８）。
【０１３５】
このようにすると、通電検知が間違っており、水、空気が必要でない診療機器が接続されたのに、水、空気などを供給するようなことを確実に避けることができ、安全性が向上する。
【０１３６】
図１１は、本発明のマルチジョイントチューブを備えた医療装置の表示手段の一例を示すもので、（ａ）は全体斜視図、（ｂ）は表示手段での表示例を示す図である。
【０１３７】
図１１（ａ）において、６は診療機器であって、図１などに示した個々の診療機器６ａ〜６ｄをまとめて示したものである。１はマルチジョイントチューブであるが、ここでは、同様のマルチジョイントチューブ１が複数本備えられ、どの診療機器６をどのマルチジョイントチューブ１にでも着脱交換可能に取り付けることができ、取り付けた場合には、それぞれのチューブ１に接続された診療機器の種類が通電検知によって判別され、それぞれに合った電源供給回路から給電可能になる。
【０１３８】
１６は吸引などのためのチューブ、５４はベースン台、８は患者を載せて診療するための歯科用治療台、９１はサイドテーブル支持アーム、９２は照明灯ポール、９３は、サイドテーブル支持アーム９１に設置され、この医療装置１０に関する種々の情報を表示する表示手段、９４はサイドテーブル、９５はサイドテーブル９４に設けられた診療機器ホルダであり、ここにマルチジョイントチューブ１に接続された状態の診療機器６が待機状態で収容されるようになっている。
【０１３９】
表示手段９３は、サイドテーブル９４の上方近くに設置され、サイドテーブル９４で作業を行う術者がちょうど見やすい位置となっている。
【０１４０】
表示手段９３には、図１１（ｂ）に示すように、種々の情報に加え、マルチジョイントチューブ１に接続された診療機器６の種別も表示できるようになっている。
【０１４１】
この図では、ウインドウ５２ａに、マルチジョイントチューブ１が３本あり、その内のチューブＡにはマイクロモータハンドピースが、チューブＢにはタービンモータハンドピースが、チューブＣにはスケーラが接続されていることが表示されている。ここで、このウインドウ５２ａのチューブＡの位置でボタン５２ｂを操作すると、別のウインドウ５２ａに、このチューブＡに接続されたマイクロモータハンドピースの詳細が示されるようになっている。
【０１４２】
こうして、その表示を見て、通電検知が正しかったか否か、または、装着した診療機器が正しかったか否かをチェックすることができる。
【０１４３】
図１２は、本発明のマルチジョイントチューブを備えた医療装置の他例を概念的に説明するブロック図である。
【０１４４】
このマルチジョイントチューブを備えた医療装置１０Ｄは、図４の医療装置１０Ａに比べて、マルチジョイントチューブがなく、それぞれの診療機器がそれぞれにチューブを備えたチューブ付き診療機器６Ａａ〜６Ａｄとなっており、このチューブの先端に設けられた継手部６１Ａａ〜６１Ａｄがマルチジョイントとなっている点が相違する。また、医療装置本体部５に備えられた本体基端部５３にも、これに対応できるようにマルチジョイント継手部５３ａが設けられている。
【０１４５】
この医療装置１０Ｄでは、このようなマルチジョイントのチューブ付き診療機器６Ａａ〜６Ａｄを、医療装置本体部５のマルチジョイント継手部５３ａに着脱交換可能に取り付けることができ、接続された診療機器について、上記と同様の方法で通電検知し、選択して電源を通電することができる。
【０１４６】
図１３は、本発明のマルチジョイントチューブを備えた医療装置の他例を概念的に説明するブロック図である。
【０１４７】
このマルチジョイントチューブを備えた医療装置１０Ｅは、図４の医療装置１０Ａに比べて、それぞれの電気ライン１３に通電検出素子を設けることなく、これを共通の通電検出素子４４で代用している点が相違する。
【０１４８】
この医療装置１０Ｅでは、通電検知手段４Ａは独自の通電検知用電源（不図示）を内蔵し、それぞれの電源供給回路２ａ〜２ｄに個別の通電用ライン４６を接続し、一方、共通に使用可能な単一の通電検出素子４４と、通電用ライン４６を断接する通電切換スイッチ４５を備えている。通電検知手段４Ａは、電源制御部３と接続され、通電検知の結果を通知する通電検知信号を送るようにしている。
【０１４９】
このような構成で、この医療装置１０Ｅでは、個別の通電用ライン４６を切り換えて、順に給電しながら、通電検出素子４４の通電を検知して、どの電気ライン１３が通電されたかを検知して、どの診療機器が接続されたかを判別することができる。また、通電時でない場合は、通電切換スイッチ４５をオフにして、通電用ライン４６などの影響をなくすことができる。
【０１５０】
なお、上記では、診療機器の種類を、１つの電気ラインと電源供給回路の通電検知によって判別したが、診療機器の電気作動部から複数本の電気ラインが導出されている場合には、これらの電気ラインの内から、２本以上の電気ラインと、それに対応した電源供給回路の通電検知によって、診療機器の種類を判別することも出来る。
【０１５１】
【発明の効果】
請求項１に記載のマルチジョイントチューブを備えた医療装置によれば、通電接続端子の位置を、それぞれの診療機器に対応させて互いに異なるように設け、その通電接続端子に対応した電気ラインに、その診療機器に専用の電源供給回路を設けたので、１本のマルチジョイントチューブに、いずれの診療機器も着脱交換可能に取り付けることができるだけでなく、診療機器を接続すれば、その診療機器に対応した通電接続端子だけが通電し、他の通電接続端子は通電されないので、間違って給電するようなことがなく、安全性も高い。また、通電検知手段によって通電接続端子の通電を検知し、その通電接続端子に接続された電源供給回路に通電させれば、間違いなく、接続された診療機器に相応しい電源が供給される。
【０１５２】
請求項２に記載のマルチジョイントチューブを備えた医療装置によれば、さらに、通電検知手段によって通電検知をした電源供給ラインに通常パワーの電源を供給させるようにしているので、自動的に間違いなく、接続された診療機器に相応しい電源が選択され供給される。
【０１５３】
また、このような効果を実現するために、余分に必要なものは、通電検知手段だけであり、コストアップとなることが少ない。さらに、本来必要な接続端子の位置を工夫することで、別に、診療機器の種類判別のための接続端子を設ける必要もなく、継手部の大きさも小型化することができる。
【０１５４】
請求項３に記載のマルチジョイントチューブを備えた医療装置によれば、請求項１に記載の医療装置の効果に加え、通電検知手段による通電検知を原則として常時行うようにしたことを特徴としている。つまり、切換手段や、センサー手段などが必要なく、余分なコストアップを生じることがなく、また、安全に、診療機器の判別をすることができる。
【０１５５】
請求項４に記載のマルチジョイントチューブを備えた医療装置によれば、請求項１に記載の医療装置の効果に加え、診療機器をマルチジョイントチューブの継手部に接続したことを検知するセンサ手段を設け、このセンサ手段で診療機器の接続を検知した時だけ、通電検知をするようにしているので、選択可能な通電検知の態様が増える。
【０１５６】
請求項５に記載のマルチジョイントチューブを備えた医療装置によれば、請求項１に記載の医療装置の効果に加え、通電検知のタイミングとして、制御駆動スイッチが操作されたときを選択したので、無駄な通電検知をすることが無い上に、選択可能な通電検知の態様が増える。
【０１５７】
請求項６に記載のマルチジョイントチューブを備えた医療装置によれば、請求項１〜５のいずれかに記載の医療装置の効果に加え、一回の通電検知において、各電源供給回路を通電可能とする複数の態様を、一斉につまり同時に給電可能にする場合と、時分割に、つまり、時間的にずらせて給電可能にする場合とを提案しているので、さらに選択可能な通電検知の態様が増える。
【０１５８】
請求項７に記載のマルチジョイントチューブを備えた医療装置によれば、請求項１〜５のいずれかに記載の医療装置の効果に加え、通電検出素子を直列挿入するだけで、通電検知をすることができるようにしているので、非常に簡単に通電検知を達成することができる。
【０１５９】
請求項８に記載のマルチジョイントチューブを備えた医療装置によれば、請求項１〜７のいずれかに記載の医療装置の効果に加え、通電検知時に電源供給回路が給電するパワーを、通常、診療機器に供給するパワーよりも十分に小さいパワーとしているので、診療機器の電気作動部が作動するようなことがなく、安全である。
【０１６０】
さらに、この十分に小さいパワーの電源は、通常パワーの電源と同じ種類の電源を用いるので、診療機器が特殊な態様の電源を使用するスケーラなどの場合であっても、確実に通電検知をすることができる。
【０１６１】
請求項９に記載のマルチジョイントチューブを備えた医療装置によれば、請求項８に記載の医療装置の効果に加え、通電検出素子に大きな抵抗素子を用い、通常パワーで給電時には、制御接点側が通電されるようにしているので、通電の検知がより確実になると共に、通常の電源通電時には、その通電検出素子の影響を避けることができる。
【０１６２】
請求項１０に記載のマルチジョイントチューブを備えた医療装置によれば、請求項２〜９のいずれかに記載の医療装置の効果に加え、通電検知後、通常の電源を供給する際に、直ちに、通常パワーの電源とせず、次第に電源のパワーを増大させ、より確実に通電検知ができるようになった状態で、再度、通電検知をしてから、水、空気を必要に応じて供給するようにしているので、通電検知が間違っており、水、空気が必要でない診療機器が接続されたのに、水、空気などを供給するようなことを確実に避けることができ、安全性が向上する。
【０１６３】
請求項１１に記載のマルチジョイントチューブを備えた医療装置によれば、請求項１〜１０のいずれかに記載の医療装置の効果に加え、通電検知の結果を表示する表示手段を備えているので、その表示を見て、通電検知が正しかったか否か、または、装着した診療機器が正しかったか否かをチェックすることができる。
【０１６４】
請求項１２に記載のマルチジョイント診療機器によれば、マルチジョイントチューブに着脱交換可能に取り付けて使用することができ、マルチジョイントチューブと相乗的に作用して、請求項１から１１に記載のマルチジョイントチューブを備えた医療装置の効果を発揮させることができる。
【０１６５】
請求項１３に記載のマルチジョイントアダプタによれば、既存の診療機器を、請求項１〜１２のいずれかに記載のマルチジョイントチューブに着脱交換可能に取り付けて使用することができ、マルチジョイントチューブを用いる場合でも、既存の診療機器を無駄にすることがない。
【図面の簡単な説明】
【図１】  本発明のマルチジョイントチューブを備えた医療装置の参考例を概念的に説明するブロック図
【図２】  本発明のマルチジョイントチューブとマルチジョイント診療機器の一例を概念的に説明する斜視図
【図３】  本発明のマルチジョイントアダプタの一例を概念的に説明する斜視図
【図４】  本発明のマルチジョイントチューブを備えた医療装置の一例を概念的に説明するブロック図
【図５】  本発明のマルチジョイントチューブを備えた医療装置における診療機器の検知駆動の基本動作の一例を示すタイムチャート
【図６】  本発明のマルチジョイントチューブを備えた医療装置の他例を概念的に説明するブロック図
【図７】  本発明のマルチジョイントチューブを備えた医療装置における診療機器の検知駆動の基本動作の他例を示すタイムチャート
【図８】  本発明のマルチジョイントチューブを備えた医療装置における診療機器の検知駆動の基本動作の他例を示すタイムチャート
【図９】  本発明のマルチジョイントチューブを備えた医療装置の他例を概念的に説明するブロック図
【図１０】  本発明のマルチジョイントチューブを備えた医療装置における診療機器の検知駆動の基本動作の他例を示すフローチャート
【図１１】  本発明のマルチジョイントチューブを備えた医療装置の表示手段の一例を示すもので、（ａ）は全体斜視図、（ｂ）は表示手段での表示例を示す図
【図１２】  本発明のマルチジョイントチューブを備えた医療装置の他例を概念的に説明するブロック図
【図１３】  本発明のマルチジョイントチューブを備えた医療装置の他例を概念的に説明するブロック図
【図１４】  従来のマルチジョイントチューブを備えた医療装置の一例を概念的に示すブロック図
【図１】
0003883321.tif 000002
【図２】
0003883321.tif 000003
【図３】
0003883321.tif 000004
【図４】
0003883321.tif 000005
【図５】
0003883321.tif 000006
【図６】
0003883321.tif 000007
【図７】
0003883321.tif 000008
【図８】
0003883321.tif 000009
【図９】
0003883321.tif 000010
【図１０】
0003883321.tif 000011
【図１１】
0003883321.tif 000012
【図１２】
0003883321.tif 000013
【図１３】
0003883321.tif 000014
【図１４】
0003883321.tif 000015